(57)【要約】【課題】エレベータ利用に関するセキュリティを保った上で、乗りかごへの乗車にかかる利便性を向上させる。【解決手段】エレベータ制御盤１４は、玄関階ホール呼び釦５の操作を無効としている。鍵制御盤１１は、居住者の認証後、オートドア３を開扉させて自動登録制御信号を出力する。エレベータ制御盤１４は、自動登録制御信号を入力すると、玄関階のホール呼びを登録する。乗りかご７が玄関階に着床すると、エレベータ制御盤１４は、かごドアおよび玄関階のホールドアを開扉させ、玄関階のホール呼びの不停止解除を行なう。エレベータ制御盤１４は、この不停止解除後に玄関階ホール呼び釦５が操作された場合には、ドアをリオープンさせる。また、エレベータ制御盤１４は、ホール呼び釦５が操作されない結果、ドアが完全に閉扉した場合には、玄関階ホール呼び釦５の操作を再度無効とする。【選択図】      図１
2008074585.tif 000002
【特許請求の範囲】
【請求項１】
外来者の建物への入場を許可して前記建物の入退出口のドアロックを解除するセキュリティシステムと連動し、前記建物内のエレベータの運転を制御するエレベータ運転制御システムであって、
前記建物の玄関階のホール呼び釦と、
前記建物の玄関階のホール呼び釦の操作を無効とする不停止制御手段と、
前記不停止制御手段による制御を行なっている状態で、前記セキュリティシステムが前記入退出口のドアロックを解除した後で、乗りかごを前記玄関階に昇降させる昇降制御手段と、
前記昇降制御手段により、前記乗りかごが玄関階に着床して、この玄関階のホールドアおよびかごドアが開扉した時点で前記玄関階のホール呼び釦の操作の無効を解除する不停止解除手段と、
前記乗りかごが着床して予め定められた開扉時間が経過するまで、前記玄関階のホールドアおよびかごドアの開扉を維持し、前記開扉時間が経過した際に前記玄関階のホールドアおよびかごドアを閉扉させるよう制御する開扉制御手段と、
前記定められた開扉時間が経過して前記ホールドアおよびかごドアが閉扉した場合に、前記建物の玄関階のホール呼び釦の操作を再度無効とする不停止再制御手段と
を備えたことを特徴とするエレベータ運転制御システム。
【請求項２】
前記不停止制御手段が、前記建物の玄関階のホール呼び釦の操作が無効としている状態で、前記セキュリティシステムが前記入退出口のドアロックを解除した際に、前記玄関階のホール呼びを自動登録するホール呼び自動登録手段をさらに備え、
前記昇降制御手段は、前記ホール呼び自動登録手段により前記玄関階のホール呼びが登録された場合に前記乗りかごを前記玄関階に昇降させる
ことを特徴とする請求項１に記載のエレベータ運転制御システム。
【請求項３】
前記不停止解除手段は、前記セキュリティシステムが前記入退出口のドアロックを解除した場合に、前記玄関階のホール呼び釦の操作の無効を解除し、
前記不停止解除手段が前記玄関階のホール呼び釦の操作の無効を解除した上で、前記玄関階のホール呼び釦が操作された際に前記玄関階のホール呼びを登録するホール呼び登録手段をさらに備え、
前記昇降制御手段は、前記ホール呼び登録手段により前記玄関階のホール呼びが登録された場合に前記乗りかごを前記玄関階に昇降させる
ことを特徴とする請求項１に記載のエレベータ運転制御システム。
【請求項４】
前記セキュリティシステムは、前記ホール呼びにしたがって着床した乗りかごに乗った居住者のエレベータの利用を許可し、
前記玄関階以外の各階床が前記乗りかごの不停止階床となるように、前記玄関階以外のかご呼びを無効とする第２の不停止制御手段と、
前記セキュリティシステムが前記着床した乗りかごに乗った居住者のエレベータの利用を許可した際に、前記第２の不停止制御手段によるかご呼びの無効を解除する第２の不停止解除手段と
をさらに備えたことを特徴とする請求項１に記載のエレベータ運転制御システム。
【発明の詳細な説明】
【技術分野】
【０００１】
本発明は、外来者の建物への入場を許可するセキュリティシステムと連動したエレベータ運転制御システムに関する。
【背景技術】
【０００２】
従来、最近は建築技術の向上により、セキュリティと利便性を重視したマンション建設が頻繁になされるようになってきている。セキュリティと利標性を重視したマンションでは、居住者が利用する鍵システムや来訪者が利用するインターホンシステムが導入され、鍵システムとエレベータシステム、もしくはインターホンシステムとエレベータシステムが連動して、セキュリティと利便性を向上させている（例えば特許文献１参照）。
【０００３】
鍵システムとは、マンションのキーリーダが玄関、ホール、乗りかご内に設置され、そのキーリーダで認証した居住者の認証情報を鍵制御盤が得て認証判断するシステムである。また、インターホンシステムは、マンションの玄関階や各住居にインターホンが設置され、来訪者が玄関階のインターホンにより居住者を呼び出し、この居住者により認証判断するシステムである。
【特許文献１】特開２００５−３２４８８９号公報
【発明の開示】
【発明が解決しようとする課題】
【０００４】
従来のシステムは、前述した鍵システムもしくはインターホンシステムからの解除信号を元に乗りかごを玄関階に呼び戻し、出来るだけ戸開時間を短くする工夫を行なっている。従って、セキュリティと利便性が向上するが、相反して戸開時間が短くなる分、居住者もしくは来訪者が認証行為後、乗りかごの扉が閉まったり、別の居住者などが扉に挟まれる可能性が高くなる問題がある。
【０００５】
また、現在のシステムでは、セキュリティシステムの認証行為で許可された人のみ、エレベータを利用できる事を基本としているために、通常は玄関階のホール呼び釦の操作が行なえないようになっており、認証時に限り玄関階のホール呼び釦の操作が行なえるが、この操作がなされた後は、当該ホール呼び釦の操作は再び行なえなくなる。
【０００６】
従って、ホール呼びに応答した乗りかごの扉が戸開したが、乗客が乗りかごに乗り遅れて戸閉し始めたときは、玄関階のホール呼び釦を操作しても、乗りかごの扉を再度開くリオープン制御が出来ない。このような場合には、乗客は再度認証行為を行なわないとホール呼び釦を操作できないため、利便性が損なわれていた。
【０００７】
そこで、本発明の目的は、エレベータ利用に関するセキュリティを保った上で、乗りかごへの乗車にかかる利便性を向上させることが可能なエレベータ運転制御システムを提供することにある。
【課題を解決するための手段】
【０００８】
すなわち、本発明に係わるエレベータ運転制御システムは、外来者の建物への入場を許可して前記建物の入退出口のドアロックを解除するセキュリティシステムと連動し、前記建物内のエレベータの運転を制御するエレベータ運転制御システムであって、建物の玄関階のホール呼び釦の操作を無効し、セキュリティシステムが前記入退出口のドアロックを解除した後で乗りかごを前記玄関階に昇降させ、乗りかごが玄関階に着床して、この玄関階のホールドアおよびかごドアが開扉した時点で玄関階のホール呼び釦の操作の無効を解除し、乗りかごが着床して予め定められた開扉時間が経過するまで、玄関階のホールドアおよびかごドアの開扉を維持するよう制御し、開扉時間が経過してホールドアおよびかごドアが閉扉した場合に、建物の玄関階のホール呼び釦の操作を再度無効とすることを特徴とする。
【発明の効果】
【０００９】
本発明によれば、エレベータ利用に関するセキュリティを保った上で、乗りかごへの乗車にかかる利便性を向上させることができる。
【発明を実施するための最良の形態】
【００１０】
以下図面により本発明の実施形態について説明する。  
（第１の実施形態）
まず、本発明の第１の実施形態について説明する。  
図１は、本発明の第１の実施形態にしたがったセキュリティシステムおよびエレベータ運転制御システムの構成例を示すブロック図である。
【００１１】
図１に示したシステムでは、建物の玄関階に玄関キーリーダ１と玄関インターホン２が備えられる。玄関キーリーダ１と玄関インターホン２が備えられるエリアは、認証なしで立ち入り可能なエリアである。また、玄関キーリーダ１と玄関インターホン２の近傍には、これらの設置箇所から建物内に不審者が自由に出入りできないように設置されたオートドア３が設けられる。
【００１２】
このオートドア３が開扉して、中に入った先のエレベータホールの乗場にはホールキーリーダ４および玄関階ホール呼び釦５が設けられる。  
また、エレベータ昇降路６内の乗りかご７の中には、かご内操作盤８およびかご内キーリーダ９が設けられる。
【００１３】
建物内には、外来者の建物への入場やエレベータ利用を認証するための鍵制御盤１１が設けられる。鍵制御盤１１は、玄関キーリーダ１、ホールキーリーダ４およびかご内キーリーダ９と接続される。
【００１４】
建物の居住者は、図示しない居住者キーを携帯している。居住者キーは、建物への入場およびエレベータ利用のための認証情報を記憶するための記憶装置を内蔵する。この認証情報は、携帯者の居住階の情報を含む。
【００１５】
また、建物内には、インターホン制御盤１２、エレベータインタフェース１３及び昇降制御手段であるエレベータ制御盤１４が設けられる。  
エレベータ制御盤１４は、エレベータインタフェース１３からの信号入力にしたがって、乗りかご７を玄関階に呼び戻す機能、乗りかご７の着床後に図示しないかごドアおよび玄関階の図示しないホールドアを開扉させ、これらのドアを予め定められた開扉時間にわたって閉扉しないように制御するドアタイマ機能、および、エレベータインタフェース１３からの制御信号に対応する居住階へのかご呼びを自動で行なう機能を有する。
【００１６】
エレベータ制御盤１４は、玄関階ホール呼び釦５の操作を無効とする玄関階の不停止制御を行なっており、利用者が玄関階ホール呼び釦５を操作してもホール呼び登録がなされないようになっている。ただし、エレベータ制御盤１４は、玄関階ホール呼び釦５の操作を無効である状態であっても、エレベータインタフェース１３からの制御信号の入力にともなった玄関階のホール呼びは行なうことができる。
【００１７】
また、エレベータ制御盤１４は、乗りかご７内の各階床に対応するかご呼び釦のうち玄関階および指定された居住階以外の階床に対応するかご呼び釦の操作を無効とする不停止制御を行っており、居住者がかご呼び釦を操作してもかご呼び登録は出来ないようになっている。ただし、前述したエレベータインタフェース１３からの制御信号で示される居住階のかご呼び登録は行なうことができる。
【００１８】
玄関キーリーダ１、ホールキーリーダ４およびかご内キーリーダ９は、居住者が居住者キーを近接させた際に、このキーに記憶される認証情報を近距離無線通信により読み取り、この情報を鍵制御盤１１に出力する。
【００１９】
鍵制御盤１１は、認証情報と居住者情報を対応付けて管理する居住者データベースを備える。居住者情報とは、居住者の氏名や居住階、住居部屋番号などである。  
鍵制御盤１１は、玄関キーリーダ１から入力した認証情報が居住者データベースに登録されていると判別することで、外来者が正当な居住者であるとみなし、オートドア３の図示しないドアロック機構によるドアロックを解除して、オートドア３が一定時間開扉するように制御するとともに、自動登録制御信号をエレベータインタフェース１３に出力する。
【００２０】
この自動登録制御信号は、玄関階のホール呼びの自動登録および玄関キーリーダ１から入力した認証情報で示される居住階のかご呼びの自動登録をエレベータ制御盤１４に行なわせるための信号である。
【００２１】
鍵制御盤１１は、認証データをホールキーリーダ４から入力した場合には、玄関キーリーダ１から入力した場合と同様に、入力した認証データが居住者データベースに登録されているか否かを判別するが、認証データが居住者データベースに登録されている場合であっても、オートドア３のドアロック機構に対する制御は行なわず、エレベータインタフェース１３に対する自動登録制御信号の出力のみを行なう。  
エレベータインタフェース１３は、鍵制御盤１１からの自動登録制御信号を入力した場合には、この信号をエレベータ制御盤１４に出力する。
【００２２】
エレベータ制御盤１４は、エレベータインタフェース１３からの自動登録制御信号を入力した場合には、玄関階のホール呼びの登録および、このホール呼びにしたがって乗りかご７が着床した場合に前述した居住階のかご呼び登録を行なう。
【００２３】
また、鍵制御盤１１は、認証データをかご内キーリーダ９から入力した場合には、玄関キーリーダ１から入力した場合と同様に、入力した認証データが居住者データベースに登録されているか否かを判別するが、認証データが居住者データベースに登録されている場合であっても、オートドア３のドアロック機構に対する制御や自動登録制御信号の出力を行なう代わりに、エレベータインタフェース１３に対して不停止解除制御信号を出力する。この不停止解除制御信号は、各階床のかご呼びの不停止解除をエレベータ制御盤１４に行なわせるための信号である。
【００２４】
また、図示はしないが、乗りかご７は当該乗りかご７に対応して設けられるシーブに巻き掛けられたロープを介してカウンタウェイトと連結されており、エレベータ制御盤１４からの制御にしたがった巻上機の駆動によるシーブの回転に伴い、カウンタウェイトとともに互いに上下反対方向に昇降する。
【００２５】
また、建物の各住居内には、玄関階への外来者を通話するための住居インターホン１５が設けられる。インターホン制御盤１２は、玄関インターホン２の操作により外来者が来訪先の部屋番号を示す信号を入力すると、この番号に対応する住居における住居インターホン１５を呼び出す。これにしたがって住居インターホン１５の受話器がとられた場合には、通話可能な状態となる。
【００２６】
住居インターホン１５の操作者が、玄関インターホン２の利用者との通話を経て外来者の建物への入場およびエレベータ利用を認め、住居インターホン１５の図示しない開錠釦を操作した場合には、インターホン制御盤１２は、オートドア３の図示しないドアロック機構によるドアロックを解除して、オートドア３が一定時間開扉するように制御するとともに、自動登録制御信号をエレベータインタフェース１３に出力する。
【００２７】
図２は、図１に示したシステムによる、１階（玄関階）からＮ階（最上階）までの通常時の各階床のホール呼びおよびかご呼びの可否を表にして示した図である。図中の「○」は、呼びの登録が出来ることを示し、「×」は呼びの登録が出来ないことを示す。
【００２８】
図２に示すように、通常時、つまり認証を行なっていない状態では、ホール呼びについては、エレベータ制御盤１４は、１階（玄関階）以外では「〇」として呼びの登録が出来るようになっており、１階は「×」として呼びの登録が出来ないこととしている。
【００２９】
つまり、エレベータ制御盤１４は、利用者が玄関階ホール呼び釦５を操作してもホール呼び登録が出来ないような不停止制御を行なっており、建物内に入った不審者が自由に乗りかご７に乗ることが出来ないようになっている。
【００３０】
また、図２に示すように、通常時のかご呼びについては、エレベータ制御盤１４は、１階（玄関階）では「〇」として呼びの登録が出来るようになっており、それ以外の階は「×」として呼びの登録が出来ないこととしている。
【００３１】
つまり、エレベータ制御盤１４は、居住者がかご内操作盤８を操作してもかご呼び登録が出来ない不停止制御を行なっており、居住者は居住階以外の階に移動できない。
【００３２】
以上説明した構成のシステムの動作について説明する。  
図３は、本発明の第１の実施形態にしたがったエレベータ制御システムによる処理動作の一例を示すフローチャートである。  
まず、建物に居住者が帰宅した場合の動作について説明する。居住者が、建物の玄関の玄関キーリーダ１に居住者カードを近接させた場合には、玄関キーリーダ１は、居住者カードに記憶される認証情報を近距離無線通信により読み取り、この認証情報を鍵制御盤１１に出力する。
【００３３】
鍵制御盤１１は、玄関キーリーダ１から入力した認証情報が居住者データベースに登録されていると判別することで（ステップＳ１のＹＥＳ）、外来者が正当な居住者であるとみなし、オートドア３の図示しないドアロック機構によるドアロックを解除して、オートドア３が一定時間開扉するように制御するとともに（ステップＳ２）、自動登録制御信号をエレベータインタフェース１３に出力する。  
これにより、外来者は、オートドア３を通って玄関階のエレベータホールに移動できる。
【００３４】
エレベータインタフェース１３は、鍵制御盤１１からの自動登録制御信号を入力すると、これをエレベータ制御盤１４に出力する。  
エレベータ制御盤１４は、エレベータインタフェース１３からの自動登録制御信号を入力すると（ステップＳ３）、玄関階のホール呼びを登録して（ステップＳ４）、玄関階ホール呼び釦５を点灯させる。ただし、不停止制御は維持されており、玄関階ホール呼び釦５が操作されても無効となる。
【００３５】
ホール呼びの登録により、乗りかご７が玄関階に呼び戻されて着床すると（ステップＳ５）、エレベータ制御盤１４は、玄関階ホール呼び釦５を消灯させるともに、乗りかご７のかごドアおよび玄関階のホールドアを開扉させ、戸開状態とする（ステップＳ６）。ここでは、戸開状態とは、ドアが少しでも開いている状態、つまりドアが完全に閉まっている状態を除いた状態を意味する。  
そして、エレベータ制御盤１４は、エレベータインタフェース１３からの自動登録制御信号にしたがった居住階のかご呼び登録を行なう。
【００３６】
ここで、エレベータ制御盤１４は、乗りかご７のかごドアおよび玄関階のホールドアが完全に開いた状態となると、この状態を維持したまま、ドアタイマ機能による開扉時間のカウントを開始し、この時間が予め定められた時間となると、乗りかご７のかごドアおよび玄関階のホールドアの閉扉を開始する。
【００３７】
エレベータ制御盤１４は、乗りかご７のかごドアおよび玄関階のホールドアの開閉状態が前述した戸開状態である場合には（ステップＳ７のＹＥＳ）、玄関階のホール呼びの不停止解除を行なう（ステップＳ８）。これにより玄関階ホール呼び釦５の操作が有効となる。
【００３８】
エレベータ制御盤１４は、この不停止解除後に玄関階ホール呼び釦５が操作された場合には（ステップＳ９のＹＥＳ）、乗りかご７のかごドアおよび玄関階のホールドアのリオープン、つまりこれらのドアを完全に開いた状態となるまで開扉させるよう制御する（ステップＳ１０）。
【００３９】
そして、エレベータ制御盤１４は、乗りかご７のかごドアおよび玄関階のホールドアが完全に開いた状態となると、ドアタイマ機能による開扉時間のカウントを再び開始する（ステップＳ１０→Ｓ７）。
【００４０】
また、エレベータ制御盤１４は、玄関階ホール呼び釦５が操作されない結果、ドアタイマ機能によるカウント時間が予め定められた時間となって、乗りかご７のかごドアおよび玄関階のホールドアが閉扉を開始したのち、完全に閉扉して戸開状態でなくなった場合には（ステップＳ７のＮＯ）、戸閉状態となったことを検出して（ステップＳ１１）、前述したように解除した玄関階のホール呼びの不停止制御を再度行なう（ステップＳ１２）。これにより、玄関階ホール呼び釦５の操作は再び無効となる。
【００４１】
すると、エレベータ制御盤１４は、乗りかご７が出発可能になったとして、前述したように登録したかご呼びに対応する階床に向かって乗りかご７を出発させる（ステップＳ１３）。
【００４２】
これにより、居住者がオートドア３から中に入った後における、玄関階のエレベータホールへの到着が遅れて、乗りかご７が着床して開扉したかごドアと玄関階ホールドアが閉扉し始めた場合でも、これらのドアをリオープンできる。
【００４３】
また、居住者がオートドア３から中に入った後における、玄関階のエレベータホールへの到着が大幅に遅れ、乗りかご７が着床して開扉したかごドアと玄関階ホールドアが完全に閉扉した場合には、ホール呼び釦５を操作しても無効となる。この場合に、居住者が居住者カードをホールキーリーダ４に近接させた場合には、ホールキーリーダ４は、居住者カードに記憶される認証情報を近距離無線通信により読み取り、この認証情報を鍵制御盤１１に出力する。
【００４４】
鍵制御盤１１は、ホールキーリーダ４から入力した認証情報が居住者データベースに登録されていると判別することで、玄関階のエレベータホールにいる外来者が正当な居住者であるとみなし、前述した自動登録制御信号をエレベータインタフェース１３に出力する。
【００４５】
これにより、玄関階のホール呼びが再び登録されるので、居住者は、わざわざオートドア３を通って玄関キーリーダ１に居住者カードを再度近接させる必要がなくエレベータを利用できる。
【００４６】
ここでは、乗りかご７が玄関階に着床していない状態で、居住者が居住者カードを玄関キーリーダ１やホールキーリーダ４に近接させた場合の動作を説明したが、これに限らず、前述したように乗りかご７が玄関階に着床して、かごドアおよび玄関階ホールドアが戸開状態にある場合に、居住者が居住者カードを玄関キーリーダ１やホールキーリーダ４に近接させた結果、鍵制御盤１１が正当な居住者を認証した場合には、この鍵制御盤１１は開扉制御信号を出力する。エレベータ制御盤１４は、この開扉制御信号を入力すると、前述したステップＳ１０の処理と同様に、かごドアおよび玄関階ホールドアをリオープンさせる。  
これにより、玄関階ホール呼び釦５が操作されなくとも、閉まりかけたドアをリオープンさせることができる。
【００４７】
次に、建物に居住者でない来訪者が到着した場合の動作について説明する。来訪者は、建物の玄関に到着すると、玄関インターホン２の図示しない操作パネルで居住者の部屋番号を入力して呼び出し釦を操作する。すると、玄関インターホン２は、この部屋番号の情報を含む呼び出し信号をインターホン制御盤１２に出力する。
【００４８】
インターホン制御盤１２は、入力した信号に含まれる部屋番号に対応する部屋の住居インターホン１５に対して呼び出し信号を出力することで、住居インターホン１５を呼び出す。これにしたがって住居インターホン１５の受話器がとられた場合には、通話可能な状態となる。
【００４９】
住居インターホン１５の操作者が、玄関インターホン２の利用者との通話を経て外来者の建物への入場およびエレベータ利用を認め、住居インターホン１５の開錠釦を操作した場合には、住居インターホン１５は、開錠信号をインターホン制御盤１２に出力する。この開錠信号には、住居インターホン１５の設置階の情報が含まれる。
【００５０】
インターホン制御盤１２は、開錠信号を入力すると、オートドア３のドアロック機構によるドアロックを解除して、オートドア３が一定時間開扉するように制御するとともに、自動登録制御信号をエレベータインタフェース１３に出力する。  
これにより、来訪者は、オートドア３を通って玄関階のエレベータホールに移動できる。  
エレベータインタフェース１３は、鍵制御盤１１からの自動登録制御信号を入力すると、これをエレベータ制御盤１４に出力する。
【００５１】
以後の処理は、前述したステップＳ３以降の処理と同様である。これにより、居住者カードを持たない来訪者がオートドア３から中に入った後における、玄関階のエレベータホールへの到着が遅れて、乗りかご７が着床して開扉したかごドアと玄関階ホールドアが閉扉し始めた場合でも、これらのドアをリオープンできる。
【００５２】
前述したように、本発明の第１の実施形態にしたがったシステムは、玄関階以外の階床のかご呼びを無効とする制御を行なっている。  
この制御が行なわれている場合には、居住者カードに記憶された居住階または、玄関インターホン２との間で通話処理を行なった住居インターホン１５の設置階のかご呼びの登録しかなされないので、居住者がエレベータを用いた所望の階間通行が行なえない。
【００５３】
ここで、居住者カードを携帯する居住者が、着床した乗りかご７に乗り込み、乗りかご７内のかご内キーリーダ９に居住者カードを近接させた場合、かご内キーリーダ９は、居住者カードに記憶される認証情報を近距離無線通信により読み取り、この認証情報を鍵制御盤１１に出力する。
【００５４】
鍵制御盤１１は、かご内キーリーダ９から入力した認証情報が居住者データベースに登録されていると判別することで、乗りかご７内の乗客が正当な居住者であるとみなし、不停止解除制御信号を出力する。
【００５５】
エレベータ制御盤１４は、不停止解除制御信号を入力した場合には、各階床のかご呼びの不停止制御を解除して、かご内操作盤８の各階床に対応するかご呼び釦の操作が有効となるようにする。
【００５６】
そして、エレベータ制御盤１４は、かご内操作盤８のかご呼び釦が操作された場合には、この操作された釦に対応する階床のかご呼び登録を行なう。これにより、居住者は、エレベータを用いた所望の階間通行を行なうことができる。
【００５７】
以上のように、本発明の第１の実施形態にしたがったシステムでは、居住者がオートドア３から玄関階のエレベータホールの中に入った後における、玄関階のエレベータホールへの到着が遅れて、乗りかご７が着床して開扉したかごドアと玄関階ホールドアが閉扉し始めた場合でも、利用者が通常使い慣れている玄関階ホール呼び釦５を操作すれば、これらのドアをリオープンできる。よって、利用者は各種キーリーダに居住者カードを再度近接させたり、玄関インターホン２を再び操作したりせずとも、乗りかご７に乗り込むことができる。
【００５８】
その一方で、かごドアと玄関階ホールドアが開扉していない場合や、これらのドアが完全に閉まった場合には、玄関階の不停止制御がなされるので、セキュリティを保ったまま、利用者の利便性を向上させることができる。
【００５９】
（第２の実施形態）
次に、本発明の第２の実施形態について説明する。なお、本実施形態に係るシステムの構成は図１に示したものと基本的にほぼ同様であるので同一部分の説明は省略する。  
本発明の第１の実施形態にしたがったシステムは、認証後、玄関階のホール呼びを自動登録する構成であったが、本発明の第２の実施形態にしたがったシステムは、認証後、玄関階のホール呼びの不停止制御を解除してホール呼び釦５を操作できるようにし、このホール呼び釦５の操作にしたがって、玄関階のホール呼びを登録する構成である。
【００６０】
図４は、本発明の第２の実施形態にしたがったエレベータ制御システムによる処理動作の一例を示すフローチャートである。  
ここでは、建物に居住者が帰宅した場合の動作について説明する。居住者が、建物の玄関の玄関キーリーダ１に居住者カードを近接させた場合には、玄関キーリーダ１は、居住者カードに記憶される認証情報を近距離無線通信により読み取り、この認証情報を鍵制御盤１１に出力する。
【００６１】
鍵制御盤１１は、玄関キーリーダ１から入力した認証情報が居住者データベースに登録されていると判別することで（ステップＳ２１のＹＥＳ）、外来者が正当な居住者であるとみなし、オートドア３の図示しないドアロック機構によるドアロックを解除して、オートドア３が一定時間開扉するように制御するとともに（ステップＳ２２）、手動登録制御信号をエレベータインタフェース１３に出力する。  
これにより、外来者は、オートドア３を通って玄関階のエレベータホールに移動できる。  
エレベータインタフェース１３は、鍵制御盤１１からの手動登録制御信号を入力すると、これをエレベータ制御盤１４に出力する。
【００６２】
エレベータ制御盤１４は、エレベータインタフェース１３からの手動登録制御信号を入力すると（ステップＳ２３）、玄関階のホール呼びの不停止制御を解除して、玄関階ホール呼び釦５が操作できるようにする（ステップＳ２４）。
【００６３】
この不停止制御解除後に、玄関階ホール呼び釦５が操作された場合には（ステップＳ２５）、エレベータ制御盤１４は、玄関階ホール呼び釦５を点灯させて玄関階のホール呼びを登録し（ステップＳ２６）、玄関階のホール呼びの不停止制御を再度行なう（ステップＳ２７）。
【００６４】
ホール呼びの登録により、乗りかご７が玄関階に呼び戻されて（ステップＳ２８）着床すると、エレベータ制御盤１４は、玄関階ホール呼び釦５を消灯させるともに、乗りかご７のかごドアおよび玄関階のホールドアを開扉させ、戸開状態とする（ステップＳ２９）。  
以後の図４に示したステップＳ３０以降の処理は、第１の実施形態で説明したステップＳ７以降の処理と同様である。
【００６５】
以上のように、本発明の第２の実施形態にしたがったシステムでは、第１の実施形態にしたがったシステムのように、認証後に玄関階のホール呼びを自動登録する構成とせずとも、認証後に玄関階ホール呼び釦５の操作の無効を一時的に解除してホール呼び登録を行なえる。よって、かご呼び登録のタイミングは、利用者が玄関階のエレベータホールに到着した後となるので、利用者がオートドア３の前からエレベータホールに到着するのが遅れたとしても乗りかご７に乗り遅れる心配がなくなる。
【００６６】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６７】
【図１】本発明の第１の実施形態にしたがったセキュリティシステムおよびエレベータ運転制御システムの構成例を示すブロック図。
【図２】本発明の第１の実施形態にしたがったエレベータ制御システムによる各階床のホール呼びおよびかご呼びの可否を表にして示した図。
【図３】本発明の第１の実施形態にしたがったエレベータ制御システムによる処理動作の一例を示すフローチャート。
【図４】本発明の第２の実施形態にしたがったエレベータ制御システムによる処理動作の一例を示すフローチャート。
【符号の説明】
【００６８】
１…玄関キーリーダ、２…玄関インターホン、３…オートドア、４…ホールキーリーダ、５…玄関階ホール呼び釦、６…昇降路、７…乗りかご、８…かご内操作盤、９…かご内キーリーダ、１１…鍵制御盤、１２…インターホン制御盤、１３…エレベータインタフェース、１４…エレベータ制御盤、１５…住居インターホン。
【図１】
2008074585.tif 000003
【図２】
2008074585.tif 000004
【図３】
2008074585.tif 000005
【図４】
2008074585.tif 000006